(57)【要約】【課題】  ユーザが、スキャナ画像とメモリカード画像の画像処理を同時に行うことが可能となり、これらの画像を合成することが可能とすること。そして、スキャナで読み取った画像を保管する機能を所持した画像記録装置を提供すること。【解決手段】  画像データを格納した記憶媒体を装着するための装着部と、光学式原稿読み取り装置が装着するための装着部と、画像データの画像処理を行う画像処理部と、前記画像データを印刷する画像記録部と、操作ボタン・液晶画面から構成され、ユーザによる印刷設定が可能である操作部を所持する構成とする。【選択図】  図１
2007201621.tif 000002
【特許請求の範囲】
【請求項１】
画像データを格納した記憶媒体を装着するための装着部と、光学式原稿読み取り装置が装着するための装着部と、画像データの画像処理を行う画像処理部と、前記画像データを印刷する画像記録部と、操作ボタン・液晶画面から構成され、ユーザによる印刷設定が可能である操作部を所持することを特徴とする画像記録装置。
【請求項２】
画像処理部は、前記記憶媒体内の画像データと、前記光学式原稿読み取り装置により読み取られた画像データの画像処理を行う機能を有することを特徴とする請求項１に記載の画像記録装置。
【請求項３】
画像処理部は、前記記憶媒体内の画像データと、前記光学式原稿読み取り装置により読み取られた画像データとを合成処理する機能を有することを特徴とする請求項１又は、請求項２に記載の画像記録装置。
【請求項４】
画像データを格納した記憶媒体を装着するための装着部と、光学式原稿読み取り装置が装着するための装着部と、画像データの画像処理を行う画像処理部と、前記画像データを印刷する画像記録部と、操作ボタン・液晶画面から構成され、ユーザによる印刷設定が可能である操作部と、画像保管の管理を行うための画像保管部、画像を保管するための不揮発性メモリを所持することを特徴とする画像記録装置。
【請求項５】
画像保管部は、前記光学式原稿読み取り装置により読み取られた画像データを保管する機能を有することを特徴とする請求項４に記載の画像記録装置。
【請求項６】
画像処理部は、前記記憶媒体内の画像データと、前記不揮発性メモリに保管された画像データとを合成処理する機能を有することを特徴とする請求項４に記載の画像記録装置。
【発明の詳細な説明】
【技術分野】
【０００１】
本発明はデジタルカメラの撮像結果や不揮発性記憶媒体に格納された画像データを入力し、画像処理を行い、ユーザが指定した設定に基づいて画像データを印刷することが可能な画像記録装置に関する。
【背景技術】
【０００２】
近年、一般家庭におけるパーソナルコンピュータ（以下ＰＣと呼称する）の普及は目覚ましく、ＰＣの普及と共に画像入力機器として高解像度のデジタルカメラと、画像出力機器としてインクジェット方式等の画像記録装置が普及している。ユーザはデジタルカメラからの画像データをＰＣに入力し、ＰＣモニタに画像表示し所望の画像を選んでプリンタ等の画像記録装置により印刷する方法をとっている。
【０００３】
一方で、一般家庭においてＰＣは所持していないが、デジタルカメラは所持している、といったケースも多々あり、このような場合において、ユーザは、画像出力機器としてメモリカード等からＰＣを介す事無く直接プリントすることが可能な昇華方式、あるいはインクジェット方式の画像記録装置を購入することにより、デジタルカメラから画像データが入力されているメモリカードを取りだし、画像記録装置各々の方法により印刷を行っている。
【０００４】
又、別の従来例としては、特許文献１をあげることが出来る。
【特許文献１】特開平09-186851号公報
【発明の開示】
【発明が解決しようとする課題】
【０００５】
ところで、ＰＣを介す事無く直接プリントすることが可能な画像記録装置において、ユーザがメモリカードからの印刷を行う場合、所望の画像データが入力されているメモリカードを前記画像記録装置に挿入し、画像データを選択し、印刷用紙の種類、サイズ等の印刷プロファイルを選択し、枚数を指定することで印刷を行っている。
【０００６】
この際、前記画像記録装置に、フレームと呼ばれる画像周辺に飾り柄を入れるための画像が用意されており、ユーザは好みのフレームを選択し、所望の印刷を行う事が可能である。
【０００７】
しかし、フレームは前記画像記録装置内の限られたメモリ領域にしか存在せず、また、ユーザ好みのフレームが用意されていないケースが多々ある。
【０００８】
また、近年スキャナが接続可能、あるいは接続された画像記録装置もあるが、スキャナで読み取った画像と、メモリカード内にある画像とを同時に画像処理して印刷する機能が無い事が現状である。
【０００９】
本発明においては、前記画像記録装置においてユーザが、自由にフレームを作成する等、スキャナ画像とメモリ画像とを合成することが可能になること、そして、スキャナで読み取った画像を保管する機能を所持した画像記録装置を提供することを目的とする。
【課題を解決するための手段】
【００１０】
本発明における画像記録装置は、画像データを格納した記憶媒体を装着するための装着部と、光学式原稿読み取り装置が装着するための装着部と、画像データの画像処理を行う画像処理部と、前記画像データを印刷する画像記録部と、操作ボタン・液晶画面から構成され、ユーザによる印刷設定が可能である操作部を所持することにより、メモリカード画像と、スキャナ画像の画像処理を同時に行うことが可能になる。
【００１１】
また、前記画像記録装置が、画像保管部と不揮発性メモリを所持することにより、スキャナで読み取った画像を前記画像記録装置に保管することが可能になり、また、保管した画像とメモリカード画像の画像処理を同時に行うことが可能になる。
【発明の効果】
【００１２】
以上述べたように、本発明の実施の形態における画像記録装置は、画像データを格納した記憶媒体を装着するための装着部と、光学式原稿読み取り装置が装着するための装着部と、画像データの画像処理を行う画像処理部と、前記画像データを印刷する画像記録部と、操作ボタン・液晶画面から構成され、ユーザによる印刷設定が可能である操作部を所持することにより、メモリカード画像と、スキャナ画像の画像処理を同時に行うことが可能になる。これにより、例えばユーザがフレームをスキャナで読み取り、そのフレームとメモリカード画像とを合成して印刷すること等が可能になる。
【００１３】
また、前記画像記録装置が、画像保管部と不揮発性メモリを所持することにより、スキャナで読み取った画像を前記画像記録装置に保管することが可能になり、また、保管した画像とメモリカード画像の画像処理を同時に行うことが可能になる。
【発明を実施するための最良の形態】
【００１４】
次に、本発明の詳細を実施例の記述に従って説明する。
【実施例１】
【００１５】
図１は本発明の形態に係わる画像記録装置の画像記録装置１０００の制御に係る主要部の構成である。以下に本発明の形態について説明する。
【００１６】
図１において、画像記録装置１０００は、システムコントローラ１００１、ＲＯＭ１００２、ＲＡＭ１００３、モータ１００４、ヘッド１００５、操作パネル１００６、メモリカードスロット１００７、スキャナ１００８から構成されている。
【００１７】
システムコントローラ１００１は、ＣＰＵや専用ハードウエアから構成されており、画像記録装置全体の制御及び、輝度信号（ＲＧＢ）から濃度信号（ＣＭＹＫ）への変換、スケーリング、ガンマ変換、誤差拡散等の画像処理等を行っている。ＲＯＭ１００２は、画像記録装置１０００の制御プログラムを記憶するためのメモリである。ＲＡＭ１００３は、画像記録装置１０００の制御プログラムに基づいて、駆動プログラムを展開し一時保存するためのメモリ，画像データなどを記憶するワークメモリとして機能する。モータ１００４は、記録用紙を搬送し、またヘッド１００５を駆動させるためのものである。ヘッド１００５はシステムコントローラ３００１より転送された印字データに基づいたインク吐出を行う。操作パネル１００６は、画像データや印刷設定メニュー等を表示するための液晶させる時に使用する印刷開始ボタン、印刷を途中で停止したり、設定を戻すためのキャンセルボタン、スキャナを起動する際のスキャナ起動ボタン等から構成されているユーザインターフェースである。メモリカードスロット１００７は、メモリカードを挿入するインターフェースである。スキャナスロット１００８は、フラッドベッド型等の原稿読み取り装置が接続可能なインターフェースである。スキャナは、原稿を置くためのガラス等の原稿台が設けられており、内部には、駆動装置により原稿台に平行に移動するキャリッジが設けられている。このキャリッジには、光源とカラー撮像手段とが搭載されている。光源の照射光は、原稿台上の原稿表面で反射され、集光レンズによりカラー撮像手段に集光されるようになっている。１００９はＰＣであり、画像記録装置１０００と接続することでＰＣからも印刷することが可能になる。
【００１８】
図２は、システムコントローラ１００１の構成を示すブロック図である。
【００１９】
２０００はＣＰＵである。1つないし複数から構成される場合もある。２００１はメインシステムバスである。２００２は操作パネル・インターフェース部で、操作パネル１００６からの各種操作信号の入力や、表示データの出力等を行う機能を所持する。２００３はメモリカード・インターフェース部で、メモリカードスロット１００７に装着されたメモリカード内の画像データの読み取り、或いはメモリカードへのデータの書き込み等を行う機能を所持する。２００４はスキャナ・インターフェース部で、スキャナスロット１００８に接続されたスキャナからの画像データ読み取りを行う機能を所持する。２００５はＰＣ・インターフェース部であり、ＰＣ１００９とのデータ通信を行う機能を所持する。
【００２０】
２００６はモータ駆動を制御するモータ制御部、２００７はヘッドへのデータ転送等を行うヘッド制御部である。２００８は画像処理部であり、メモリカードやスキャナから読み込んだ画像データを処理する機能を所持する。
【００２１】
図３は操作パネル１００６の概観図である。
【００２２】
図３において、操作パネル１００６には、画像データや印刷設定メニュー等を表示するための液晶表示部３０００、画像データの選択やメニュー選択を行うための十字ボタン３００１、印刷を開始させる時に使用する印刷開始ボタン３００２、印刷を途中で停止したり、設定を戻すためのキャンセルボタン３００３、印刷設定を決定する際に使用する決定ボタン３００４、スキャナから原稿を読み取り、用紙印刷するか、不揮発性メモリ２０１０内に保存するか、ＰＣに保存するかを選択するためのスキャナボタン３００５から構成されている。また、十字ボタン３００１は、上に移動させるための上ボタン３００１a、下に移動させるための下ボタン３００１b、左に移動させるための左ボタン３００１c、右に移動させるための右ボタン３００１dから構成されている。
【００２３】
図４a〜図８は、画像記録装置１０００にメモリカードが挿入された際に、メモリカード内の画像等を表示する液晶表示部３０００を図示している。
【００２４】
液晶表示部３０００には、操作パネル・インターフェース部２００２により、画像データ４０００に画像データ番号４００２を表示し、また、印刷メニュー４００１には、印刷するコマを「インデックス印刷」、「全コマ印刷」、「一コマ印刷」の中から指定する為の「コマ指定」４００３、画像を選択する為の「画像選択」４００４、スキャナ画像を合成するかを選択する「スキャナ」４００５、印刷用紙を「普通紙」、「フォト用紙」、「スーパーフォト用紙」の中から選択する為の「用紙種類」４００６、用紙サイズを「L判」、「２L判」、「A4」の中から選択する為の「用紙サイズ」４００７、印刷枚数を指定する為の「印刷枚数」４００８を表示する。
【００２５】
以下、メモリカード画像と、スキャナ画像とを合成し、一コマ印刷を行う場合の動作を以下に示す。
【００２６】
ユーザはまず、十字ボタン３００１を使用し、メニュー表示上の「コマ指定」４００３にカーソルを合わせ、カーソル４００３aを操作することで、「インデックス印刷」、「一コマ印刷」、「全コマ印刷」の中から「一コマ印刷」を選択し、決定ボタン３００４を押下する。（図４b）
次に、ユーザは、「画像選択」４００４を選択し、十字ボタン３００１を使用し、カーソル５０００a、カーソル５０００bを操作することで、メモリカード内の画像データを呼び出し、印刷したい画像データを選択し、決定ボタン３００４を押下する。（図５a）
次に、ユーザは、「スキャナ」４００５を選択し、十字ボタン３００１を使用し、カーソル５００１を操作することで、「使用する」、「使用しない」の中から「使用する」を選択し、決定ボタン３００４を押下する。（図５b）
ユーザにより、スキャナ使用が選択された場合、スキャナ原稿をセットし、スキャナボタン３００５を押下するよう、ユーザにメッセージ６０００を表示する。（図６a）
そして、スキャナで読み取った画像データを合成するか否かのメッセージ６００２を表示する。ユーザは十字ボタン３００１を使用し、カーソル６００３aを操作することで、「はい」、「いいえ」の中から「はい」を選択し、決定ボタン３００４を押下する。（図６b）
次にユーザは、用紙種類４００６にカーソルを合わせ、十字ボタン３００１を使用し、カーソル７０００を操作することで、印刷したい用紙を選択し、決定ボタン３００４を押下する。（図７a）
次にユーザは、用紙サイズ４００７にカーソルを合わせ、十字ボタン３００１を使用し、カーソル７００２を操作することで、用紙サイズを選択し、決定ボタン３００４を押下する。（図７b）
最後にユーザは、印刷枚数４００８にカーソルを合わせ、十字ボタン３００１を使用し、カーソル８０００a、カーソル８０００bを操作することで、印刷枚数を選択し、決定ボタン３００４を押下する。（図８）
その後印刷開始ボタン３００２を押下することで、ユーザの印刷設定に基づいた印刷が可能になる。
【００２７】
さて、実施例１における特徴は、画像記録装置１０００がスキャナ接続可能なスキャナスロット１００８、画像処理部２００８、スキャナボタン３００５を所持することで、スキャナから読み取った画像とメモリカード画像とを合成することが可能になることである。
【００２８】
図９を参照して、実施例１における、ユーザがスキャナ画像とメモリカード画像とを合成印刷する際のシステムフローを説明する。
【００２９】
まずユーザが、画像データが入ったメモリカードを画像記録装置１０００に挿入する（Ｓ９０１）。
【００３０】
メモリカードが挿入されると、メモリカード・インターフェース部２００３は、ＣＰＵ２０００に対してメモリカードが挿入された割り込みを通知する。そして、ＣＰＵ２０００は、メモリカード・インターフェース部２００３に対しメモリカード内にある先頭の画像データを読み込み、ＲＡＭ１００３にデータ保管する指示を出す。そしてメモリカード・インターフェース部２００３は、メモリカード内にある先頭の画像データを読み込み、ＲＡＭ１００３にデータ保管する。次に、ＣＰＵ２０００は操作パネル・インターフェース部２００２にＲＡＭ１００３上の画像データを、液晶表示部３０００に表示するよう、指示する。操作パネル・インターフェース部２００２は、ＲＡＭ１００３内に保管されているメモリカード内の最初の画像データ４０００と、ＲＯＭ１００２内に予め保管されてい
る印刷メニュー４００１を表示する（Ｓ９０２）。
【００３１】
次に、ユーザは、十字ボタン３００１を使用し、メニュー表示上の「コマ指定」４００３にカーソルを合わせ、「コマ指定」４００３を選択し、「画像選択」４００４を行った後、スキャナを使用するか否かを選択する「スキャナ」４００５より、「使用する」を選択する。（Ｓ９０３）
ユーザが「使用しない」を選択した場合は、その後のユーザ設定に基づいてメモリカード画像を印刷する。
【００３２】
ユーザがスキャナに原稿をセットし、スキャナボタン３００５を押下すると、操作パネル・インターフェース部２００２は、ＣＰＵ２０００に対してスキャナボタン３００５が押下された割り込みを通知する。ＣＰＵ２０００は、スキャナ・インターフェース部２００４にスキャナ制御を行うよう指示する。スキャナ・インターフェース部２００４は、スキャナ制御を行い、画像データを読み取り、ＲＡＭ１００３に保管する。（Ｓ９０４、９０５）
その後、ＣＰＵ２０００は、操作パネル・インターフェース部２００２にＲＡＭ１００３上のスキャナ画像データを、液晶表示部３０００に表示するよう、指示する。操作パネル・インターフェース部２００２は、ＲＡＭ１００３内に保管されているスキャナで読み取った画像データ４０１０と、ＲＯＭ１００２内に予め保管されている合成するか否かのメッセージ４０１１を表示する（Ｓ９０６）。
【００３３】
ユーザにより、合成するが選択されると、ＣＰＵ２０００はメモリカード・インターフェース部２００３にユーザが選択したメモリカード画像をＲＡＭ１００３に保管するよう指示する。そして、画像処理部２００８に、メモリカード画像とスキャナ画像とを合成するよう指示する。メモリカード・インターフェース部２００３はユーザに選択された画像データを読み取り、ＲＡＭ１００３に保管する。そして、画像処理部２００８は、ＲＡＭ１００３に保管されているメモリカード画像スキャナ画像を合成処理する。（Ｓ９０７、９０８）
その後、ユーザが、「用紙種類」４００６、「用紙サイズ」４００７、「印刷枚数」４００８をそれぞれ指定し、印刷開始ボタン３００２を押下する（Ｓ９０９）。
【００３４】
ＲＡＭ１００３には、印刷設定を保管する領域があり、操作パネル・インターフェース部２００２はＲＡＭ１００３上にユーザが選択した項目を決定ボタン３００４が押下される度にこの領域にデータ保管する。そして、印刷開始ボタン３００２が押下されると、ＲＡＭ１００３上の印刷設定領域に保管されている設定データに基づき、印刷動作を開始しユーザ所望の印刷を行う（Ｓ９１０）。
【００３５】
以上、画像記録装置１０００が、画像データを格納した記憶媒体を装着するための装着部と、光学式原稿読み取り装置が装着するための装着部と、画像データの画像処理を行う画像処理部と、前記画像データを印刷する画像記録部と、操作ボタン・液晶画面から構成され、ユーザが印刷設定可能である操作部を所持することにより、ユーザが、スキャナで読み取った画像と、メモリカード画像とを合成することが可能になる。尚、実施例１では合成のみに言及したが、画像処理部２００８は、各画像の拡大・縮小、回転・反対などの画像調整を行う機能も所持している。
【実施例２】
【００３６】
実施例２の特徴は、図１０のように、実施例１における画像記録装置１０００が、画像保管部１００００、不揮発性メモリ１０００１を所持することで、スキャナで読み取った画像データを保管することが可能になることである。また、図１１のように、実施例１における画像記録装置１０００が、メモリボタン１１０００を所持することで、スキャナで読み取った画像データを操作することが可能になることである。
【００３７】
図１２a〜図１４は、画像記録装置１０００において、スキャナボタン３００５が押下された際の液晶表示部３０００を図示している。以下、図１２a〜図１４、図１５を用いて、スキャナボタン３００５が押下されてからの動作を説明する。
【００３８】
ユーザがスキャナボタン３００５を押下すると、操作パネル・インターフェース部２００２は、ＣＰＵ２０００に対してスキャナボタン３００５が押下された割り込みを通知する。ＣＰＵ２０００は、操作パネル・インターフェース部２００２にＲＯＭ１００２内に予め保管されているメニュー１２００３を表示するよう指示する。（Ｓ１５０１）
操作パネル・インターフェース部２００２は、第１２a図のように、スキャンした画像を「印刷」、「メモリ保存」１２００１の内、どの処理を望むかメッセージ１２０００を表示する。（Ｓ１５０２）
ユーザは、十字ボタン３００１を使用し、カーソル１２００１aを合わせることで、スキャナから読み取った画像データをどうするか選択することができる。
【００３９】
＜ユーザが「印刷」を選択した場合＞
ＣＰＵ２０００は、スキャナ・インターフェース部２００４にスキャナからの画像データ読み取りを行うよう指示する。
【００４０】
スキャナ・インターフェース部２００４は、スキャナスロット１００８に接続されたスキャナを制御し、スキャナ原稿台に置かれた原稿を読み取り、ＲＡＭ１００３に保管すると共に、液晶表示部３０００に読み取った画像データ１２００２を表示する。
【００４１】
ユーザは、用紙種類４００６にカーソルを合わせ、十字ボタン３００１を使用し、カーソル７０００を操作することで、印刷したい用紙を選択し、決定ボタン３００４を押下する。（図１２b、図１３a、Ｓ１５０６、Ｓ１５０７）
次にユーザは、用紙サイズ４００７にカーソルを合わせ、十字ボタン３００１を使用し、カーソル７００２を操作することで、用紙サイズを選択し、決定ボタン３００４を押下する。（図１３b）
最後にユーザは、印刷枚数４００８にカーソルを合わせ、十字ボタン３００１を使用し、カーソル８０００a、カーソル８０００bを操作することで、印刷枚数を選択し、決定ボタン３００４を押下する。（図１４図、Ｓ１５０８）
その後、印刷開始ボタン３００２を押下することで、ユーザの印刷設定に基づき、ＲＡＭ１００３に保管された画像データを印刷処理する。（Ｓ１５０９、Ｓ１５１０）
＜ユーザが「メモリ保存」を選択した場合＞
ＣＰＵ２０００は、スキャナ・インターフェース部２００４にスキャナからの画像データ読み取りを行うよう指示する。
【００４２】
スキャナ・インターフェース部２００４は、スキャナスロット１００８に接続されたスキャナを制御し、スキャナ原稿台に置かれた原稿を読み取り、ＲＡＭ１００３に保管する。（Ｓ１５０４）
次に、ＣＰＵ２０００は、画像保管部１００００にＲＡＭ１００３に保管した画像データを不揮発性メモリ１０００１に保存するよう指示する。
【００４３】
画像保管部１００００は、ＲＡＭ１００３に保管されているスキャナで読み取った画像データを不揮発性メモリ１０００１に保存する。（Ｓ１５０５）
次に、図１６a〜図１９図、図２０図を用いて、メモリボタン１１０００が押下された際の動作を説明する。
【００４４】
ユーザがメモリボタン１１０００を押下すると、操作パネル・インターフェース部２００２は、ＣＰＵ２０００に対してメモリボタン１１０００が押下された割り込みを通知する。（Ｓ２００１）
ＣＰＵ２０００は、操作パネル・インターフェース部２００２にＲＯＭ１００２内に予め保管されているメニューを表示するよう指示する。
【００４５】
操作パネル・インターフェース部２００２は、図１６aのように、不揮発性メモリ１０００１に保管されているスキャナ画像を「印刷」、「消去」１６００１するか選択させるためのメッセージ１６０００を表示する。（Ｓ２００２）
＜ユーザが「印刷」を選択した場合＞
ＣＰＵ２０００は、操作パネル・インターフェース部２００２に、不揮発性メモリ１０００１内の一番先頭に保管されている画像データと、ＲＯＭ１００２内に予め保管されている印刷メニュー１６００３を表示するよう指示する。
【００４６】
操作パネル・インターフェース部２００２は、画像保管部１００００を介して、不揮発性メモリ１０００１内に保管されている先頭画像データ１６００２と、ＲＯＭ１００２内に予め保管されている印刷メニュー１６００３を液晶表示部３０００に表示する。（Ｓ２００６、Ｓ２００７）
ユーザは、「画像選択」４００４を選択し、十字ボタン３００１を使用し、カーソル５０００a、カーソル５０００bを操作することで、不揮発性メモリ１０００１内の画像データを呼び出し、印刷したい画像データを選択し、決定ボタン３００４を押下する。（図１６b）
次にユーザは、「用紙種類」４００６にカーソルを合わせ、十字ボタン３００１を使用し、カーソル７０００を操作することで、印刷したい用紙を選択し、決定ボタン３００４を押下する。（図１７a）
次にユーザは、「用紙サイズ」４００７にカーソルを合わせ、十字ボタン３００１を使用し、カーソル７００２を操作することで、用紙サイズを選択し、決定ボタン３００４を押下する。（図１７b）
最後にユーザは、「印刷枚数」４００８にカーソルを合わせ、十字ボタン３００１を使用し、カーソル８０００a、カーソル８０００bを操作することで、印刷枚数を選択し、決定ボタン３００４を押下する。（図１８a、Ｓ２００８）
ＲＡＭ１００３には、印刷設定を保管する領域があり、操作パネル・インターフェース部２００２はＲＡＭ１００３上にユーザが選択した項目を決定ボタン３００４が押下される度にこの領域にデータ保管する。
【００４７】
その後、ユーザが印刷開始ボタン３００２を押下することで、ユーザの印刷設定に基づいた印刷が可能になる。（Ｓ２００９、Ｓ２０１０）
＜ユーザが「消去」を選択した場合＞
ＣＰＵ２０００は、操作パネル・インターフェース部２００２に、不揮発性メモリ１０００１内の一番先頭に保管されている画像データを表示するよう指示する。
【００４８】
操作パネル・インターフェース部２００２は、画像保管部１００００を介して、不揮発性メモリ１０００１内に保管されている先頭画像データ１６００２を液晶表示部３０００に表示する。
【００４９】
ユーザは、十字ボタン３００１を使用し、カーソル１６００４a、１６００４bを操作することで、不揮発性メモリ１０００１内に保管されている画像データの中から消去したい画像データを選択し、決定ボタン３００４を押下する。（図１８b）
決定ボタン３００４が押下されると、操作パネル・インターフェース部２００２は、ユーザに本当に消去するかのメッセージ１９０００、「はい」、「いいえ」１９００１選択を表示する。（図１９）
ユーザは十字ボタン３００１を使用し、カーソル１９００１aを操作することで、消去するか否かを選択し、決定ボタン３００４を押下する。（Ｓ２００４）
操作パネル・インターフェース２００２は、ＲＡＭ１００３上にユーザが選択した項目をデータ保管すると共に、ＣＰＵ２０００に画像消去を通知する。ＣＰＵ２０００は、画像保管部１００００に対し、ＲＡＭ１００３上のデータに基づいて画像消去する指示を出す。
【００５０】
画像保管部１００００は、不揮発性メモリ１０００１内に保管されている所定の画像データを消去する。（Ｓ２００５）
以上、画像記録装置１０００が、画像データを格納した記憶媒体を装着するための装着部と、光学式原稿読み取り装置が装着するための装着部と、画像データの画像処理を行う画像処理部と、前記画像データを印刷する画像記録部と、操作ボタン・液晶画面から構成され、ユーザによる印刷設定が可能である操作部と、画像保管の管理を行うための画像保管部、画像を保管するための不揮発性メモリを所持することにより、スキャナで読み取った画像データを保管することが可能になり、又、スキャナで読み取った画像データを操作することが可能になる。
【実施例３】
【００５１】
実施例３における特徴は、実施例１、実施例２における画像記録装置１０００において、画像処理部２００８が、不揮発性メモリ１０００１内のスキャナ画像とメモリカード画像とを合成する機能を所持することである。
【００５２】
図２１a〜図２５図、図２６図を参照して、不揮発性メモリ１０００１内のスキャナ画像とメモリカード画像とを合成印刷する際の動作を説明する。
【００５３】
まずユーザが、画像データが入ったメモリカードを画像記録装置１０００に挿入する（Ｓ２６０１）。
【００５４】
メモリカードが挿入されると、メモリカード・インターフェース部２００３は、ＣＰＵ２０００に対してメモリカードが挿入された割り込みを通知する。そして、ＣＰＵ２０００は、メモリカード・インターフェース部２００３に対しメモリカード内にある先頭の画像データを読み込み、ＲＡＭ１００３にデータ保管する指示を出す。そしてメモリカード・インターフェース部２００３は、メモリカード内にある先頭の画像データを読み込み、ＲＡＭ１００３にデータ保管する。次に、ＣＰＵ２０００は操作パネル・インターフェース部２００２にＲＡＭ１００３上の画像データを、液晶表示部３０００に表示するよう、指示する。操作パネル・インターフェース部２００２は、ＲＡＭ１００３内に保管されているメモリカード内の最初の画像データ４０００と、ＲＯＭ１００２内に予め保管されてい
る印刷メニュー４００１を表示する（図２１a、Ｓ２６０２）。
【００５５】
ユーザは、十字ボタン３００１を使用し、メニュー表示上の「コマ指定」４００３にカーソルを合わせ、カーソル４００３aを操作することで、「インデックス印刷」、「一コマ印刷」、「全コマ印刷」の中から選択し、決定ボタン３００４を押下する。（図２１b）
次に、ユーザは、「画像選択」４００４を選択し、十字ボタン３００１を使用し、カーソル５０００a、カーソル５０００bを操作することで、メモリカード内の画像データを呼び出し、印刷したい画像データを選択し、決定ボタン３００４を押下する。（図２２a）
次に、ユーザは、「スキャナ」４００５を選択し、十字ボタン３００１を使用し、カーソル２２０００を操作することで、「使用する」、「使用しない」、「内蔵メモリ」の中から選択する。
【００５６】
＜ユーザが「使用しない」を選択した場合＞
実施例１と同様に、メモリカード画像の印刷を行う。（Ｓ２６０３）
＜ユーザが「使用する」を選択した場合＞
実施例１と同様に、画像処理部２００８により、スキャナから読み取った画像とメモリカード画像との合成を行う。（図２２b、Ｓ２６０４、Ｓ２６０５、Ｓ２６０６）
＜ユーザが「内蔵メモリ」を選択した場合＞
ＣＰＵ２０００は、操作パネル・インターフェース部２００２に不揮発性メモリ１０００１内のスキャナ画像と、ユーザが選択したメモリカード画像を液晶表示部３０００に表示するよう、指示する。（Ｓ２６０７）
操作パネル・インターフェース部２００２は、画像保管部１００００、メモリカード・インターフェース部２００３を介して、不揮発性メモリ１０００１内のスキャナ画像と、ユーザが選択したメモリカード画像を図２３aのように表示する。（Ｓ２６０８）
ユーザは、十字ボタン３００１を使用し、カーソルを合わせ、カーソル２３０００a、２３０００b、カーソル２３００１a、２３００１bを操作することで、不揮発性メモリ１０００１内のスキャナ画像と、ユーザが選択したメモリカード画像を選択し、決定ボタン３００４を押下する。
【００５７】
決定ボタン３００４が押下されると、操作パネル・インターフェース部２００２は、ユーザに合成するか否かのメッセージ２３００２、「はい」、「いいえ」１２００３選択を表示する。（図２３b）
ユーザは十字ボタン３００１を使用し、カーソル２３００３aを操作することで、合成するか否かを選択し、決定ボタン３００４を押下する。（Ｓ２６０９）
操作パネル・インターフェース２００２は、ＲＡＭ１００３上にユーザが選択した項目をデータ保管すると共に、ＣＰＵ２０００に画像合成を通知する。ＣＰＵ２０００は、画像処理部２００８に対し、ＲＡＭ１００３上のデータに基づいて画像合成する指示を出す。
【００５８】
画像処理部２００８は、ユーザが選択した不揮発性メモリ１０００１内のスキャナ画像と、ユーザが選択したメモリカード画像を合成処理する。（Ｓ２６１０）
その後、ユーザが、「用紙種類」４００６、「用紙サイズ」４００７、「印刷枚数」４００８をそれぞれ指定し、印刷開始ボタン３００２を押下する（図２４a、図２４b、図２５、Ｓ２６１１）。
【００５９】
ＲＡＭ１００３には、印刷設定を保管する領域があり、操作パネル・インターフェース部２００２はＲＡＭ１００３上にユーザが選択した項目を決定ボタン３００４が押下される度にこの領域にデータ保管する。そして、印刷開始ボタン３００２が押下されると、ＲＡＭ１００３上の印刷設定領域に保管されている設定データに基づき、印刷動作を開始しユーザ所望の印刷を行う（Ｓ２６１２）。
【００６０】
以上、実施例１、実施例２における画像記録装置１０００において、画像処理部２００８が、不揮発性メモリ１０００１内のスキャナ画像とメモリカード画像とを合成する機能を所持することが可能になる。
【図面の簡単な説明】
【００６１】
【図１】第１の実施の形態に係る画像記録装置の制御に係る主要部の構成を示すブロック図である。
【図２】第１の実施の形態に係る画像記録装置のシステムコントローラの構成を示すブロック図である。
【図３】第１の実施の形態に係る画像記録装置の操作パネルの概観図である。
【図４】第１の実施の形態に係る操作パネルを用いた動作説明図である。
【図５】第１の実施の形態に係る操作パネルを用いた動作説明図である。
【図６】第１の実施の形態に係る操作パネルを用いた動作説明図である。
【図７】第１の実施の形態に係る操作パネルを用いた動作説明図である。
【図８】第１の実施の形態に係る操作パネルを用いた動作説明図である。
【図９】第１の実施の形態に係るフローチャート図である。
【図１０】第２の実施の形態に係る画像記録装置のシステムコントローラの構成を示すブロック図である。
【図１１】第２の実施の形態に係る画像記録装置の操作パネルの概観図である。
【図１２】第２の実施の形態に係る操作パネルを用いた動作説明図である。
【図１３】第２の実施の形態に係る操作パネルを用いた動作説明図である。
【図１４】第２の実施の形態に係る操作パネルを用いた動作説明図である。
【図１５】第２の実施の形態に係るフローチャート図である。
【図１６】第２の実施の形態に係る操作パネルを用いた動作説明図である。
【図１７】第２の実施の形態に係る操作パネルを用いた動作説明図である。
【図１８】第２の実施の形態に係る操作パネルを用いた動作説明図である。
【図１９】第２の実施の形態に係る操作パネルを用いた動作説明図である。
【図２０】第２の実施の形態に係るフローチャート図である。
【図２１】第３の実施の形態に係る操作パネルを用いた動作説明図である。
【図２２】第３の実施の形態に係る操作パネルを用いた動作説明図である。
【図２３】第３の実施の形態に係る操作パネルを用いた動作説明図である。
【図２４】第３の実施の形態に係る操作パネルを用いた動作説明図である。
【図２５】第３の実施の形態に係る操作パネルを用いた動作説明図である。
【図２６】第３の実施の形態に係るフローチャート図である。
【符号の説明】
【００６２】
１０００  画像記録装置
１００１  システムコントローラ
１００２  ＲＯＭ
１００３  ＲＡＭ
１００４  モータ
１００５  ヘッド
１００６  操作パネル
１００７  メモリカードスロット
１００８  スキャナスロット
１００９  カードスロット
１０１０  ＰＣ
２０００  ＣＰＵ
２００１  メインシステムバス
２００２  操作パネル・インターフェース部
２００３  メモリカード・インターフェース部
２００４  スキャナ・インターフェース部
２００５  ＰＣ・インターフェース部
２００６  モータ制御部
２００７  ヘッド制御部
２００８  画像処理部
３０００  液晶表示部
３００１  十字ボタン
３００２  印刷開始ボタン
３００３  キャンセルボタン
３００４  決定ボタン
３００５  スキャナボタン
４０００  メモリカード画像
４００１  印刷メニュー
４００２  画像番号
４００３  コマ指定
４００３a  カーソル
４００４  画像選択
４００５  スキャナ
４００６  用紙種類
４００７  用紙サイズ
４００８  印刷枚数
４００８b  カーソル
５０００a  カーソル
５０００b  カーソル
５００１  カーソル
６０００  メッセージ
６００１  スキャナ画像
６００２  メッセージ
６００３  「はい、いいえ」選択肢
６００３a  カーソル
７０００  カーソル
７００１  合成画像
７００２  カーソル
８０００a  カーソル
８０００b  カーソル
１００００  画像保管部
１０００１  不揮発性メモリ
１１０００  メモリボタン
１２０００  メッセージ
１２００１  「印刷、内部メモリ保存」選択肢
１２００１a  カーソル
１２００２  スキャナ画像
１２００３  メニュー
１６０００  メッセージ
１６００１  「印刷、消去」選択肢
１６００１a  カーソル
１６００２  不揮発性メモリに内蔵されたスキャナ画像
１６００３  メニュー
１６００４  画像番号
１６００４a  カーソル
１６００４b  カーソル
１９０００  メッセージ
１９００１  「はい、いいえ」選択肢
１９００１a  カーソル
２２０００  「使用しない、使用する、内蔵メモリ」選択肢
２３０００  画像番号
２３０００a  カーソル
２３０００b  カーソル
２３００１  画像番号
２３００１a  カーソル
２３００１b  カーソル
２３００２  メッセージ
２３００３  「はい、いいえ」選択肢
２３００３a  カーソル
【図１】
2007201621.tif 000003
【図２】
2007201621.tif 000004
【図３】
2007201621.tif 000005
【図４】
2007201621.tif 000006
【図５】
2007201621.tif 000007
【図６】
2007201621.tif 000008
【図７】
2007201621.tif 000009
【図８】
2007201621.tif 000010
【図９】
2007201621.tif 000011
【図１０】
2007201621.tif 000012
【図１１】
2007201621.tif 000013
【図１２】
2007201621.tif 000014
【図１３】
2007201621.tif 000015
【図１４】
2007201621.tif 000016
【図１５】
2007201621.tif 000017
【図１６】
2007201621.tif 000018
【図１７】
2007201621.tif 000019
【図１８】
2007201621.tif 000020
【図１９】
2007201621.tif 000021
【図２０】
2007201621.tif 000022
【図２１】
2007201621.tif 000023
【図２２】
2007201621.tif 000024
【図２３】
2007201621.tif 000025
【図２４】
2007201621.tif 000026
【図２５】
2007201621.tif 000027
【図２６】
2007201621.tif 000028